(57)【要約】      （修正有）【課題】各種の使用条件と環境に対処することができ、柔軟で便利であり、スペースを節約することができる回転式プラグを提供する。【解決手段】当該回転式プラグは、絶縁本体１、複数の導電ピン２、複数の導電変換端子及び絶縁回動体４を備える。絶縁本体１の内には複数本の電線５を有し、導電ピン２はそれぞれ対応した電線５と電気的に接続される。各導電変換端子は固定部及びスイング部を備え、スイング部は回動可能に固定部に枢接され、固定部は絶縁本体に取り付けられ、且つ相応な電線と電気的に接続され、スイング部は絶縁回動体に取り付けられる。導電ピン２は絶縁回動体４に取り付けられ、且つ相応なスイング部と電気的に接続されている。上記の構造により、導電変換端子のスイング部が回動すると、絶縁回動体及び導電ピンを一緒に回動させる。【選択図】図３
0003171240.tif 000002
【実用新案登録請求の範囲】
【請求項１】
絶縁本体及び複数の導電ピンを備え、前記絶縁本体内には複数本の電線を有し、前記導電ピンはそれぞれ対応した電線と電気的に接続される回転式プラグであって、
前記回転式プラグは、さらに複数の導電変換端子及び絶縁回動体を備え、
各導電変換端子は固定部及びスイング部を備え、前記スイング部は回動可能に前記固定部に枢接され、前記固定部は前記絶縁本体に取り付けられ、且つ相応な電線と電気的に接続され、前記スイング部は前記絶縁回動体に取り付けられ、
前記導電ピンは前記絶縁回動体に取り付けられ、且つ相応なスイング部と電気的に接続され、
前記固定部は相応な電線と電気的に接続されていることを特徴とする回転式プラグ。
【請求項２】
前記絶縁本体の一端には前記絶縁回動体が枢接する切り欠きを有し、前記絶縁回動体は枢接部及び前記枢接部と接続する接続部を備え、前記枢接部は前記絶縁本体の切り欠き内に取り付けられ、且つ前記切り欠き内で回動することができ、前記導電ピンは前記接続部に取り付けられていることを特徴とする請求項1に記載の回転式プラグ。
【請求項３】
前記導電ピンは1つのベースに穿設され、前記接続部にはリング溝が設けられ、前記ベースの周縁は前記リング溝の内に位置し、且つ前記リング溝に対して回動することができ、各導電ピンはそれぞれ導線を介して相応なスイング部と電気的に接続されていることを特徴とする請求項2に記載の回転式プラグ。
【請求項４】
前記絶縁本体及び絶縁回動体の内にはそれぞれ複数の第一のスロット及び複数の第二のスロットを有し、前記導電変換端子の固定部は相応な第一のスロット内に係合され、前記導電変換端子のスイング部は相応な第二のスロット内に係合されていることを特徴とする請求項1に記載の回転式プラグ。
【請求項５】
前記絶縁本体内には、前記導電変換端子に対応して複数の第一のスロットが設けられ、前記固定部は相応な第一のスロット内に係合され、その両端は第一のスロット外に伸び出し、その中で、一端は前記電線と電気的に接続され、他端は相応なスイング部に枢接されていることを特徴とする請求項1に記載の回転式プラグ。
【請求項６】
各固定部は、第一の接続端及び前記第一の接続端を曲げてなす第一の枢接端を有し、前記第一の接続端は前記第一のスロット外に位置し、前記電線と電気的に接続され、前記第一の枢接端は前記第一のスロット内に係合され、その端部は前記第一のスロット外に伸び出し、前記スイング部に枢接されていることを特徴とする請求項5に記載の回転式プラグ。
【請求項７】
各スイング部は、第二の接続端及び前記第二の接続端を曲げてなす第二の枢接端を有し、前記第二の接続端は前記導電ピンと電気的に接続され、前記第二の枢接端は前記第一の枢接端に枢接されていることを特徴とする請求項6に記載の回転式プラグ。
【請求項８】
前記絶縁回動体の内には、前記導電変換端子に対応して複数の第二のスロットが設けられ、前記スイング部は相応な第二のスロット内に係合され、その両端は第二のスロット外に伸び出し、その中で、一端は相応な導電ピンと電気的に接続され、他端は相応な固定部に枢接されていることを特徴とする請求項1に記載の回転式プラグ。
【請求項９】
各スイング部は、第二の接続端及び前記第二の接続端を曲げてなす第二の枢接端を有し、前記第二の接続端は前記第二のスロット内に係合され、その端部は前記第二のスロット外に伸び出し、前記導電ピンと電気的に接続され、前記第二の枢接端は前記第二のスロット外に位置し、前記固定部に枢接されていることを特徴とする請求項8に記載の回転式プラグ。
【請求項１０】
各固定部は、第一の接続端及び前記第一の接続端を曲げてなす第一の枢接端を備え、前記第一の接続端は前記電線と電気的に接続され、前記第一の枢接端は前記スイング部に枢接されていることを特徴とする請求項9に記載の回転式プラグ。
【考案の詳細な説明】
【技術分野】
【０００１】
本考案は、導電接続の技術分野に属し、特に回転式プラグに関する。
【背景技術】
【０００２】
現在、通常のプラグは固定式が多く、即ち、導電ピンは絶縁ハウジングと一体になって固定され、ストレートプラグ（電線とインサートは直線状を呈して配列）及びエルボプラグ（電線とインサートは90度を呈して配列）の2種類がある。これらの固定式のプラグは、使用するときに制限性が大きく、電源ソケットに対するスペース要求が高くて、柔軟性が低く、不便である。
【考案の概要】
【考案が解決しようとする課題】
【０００３】
本考案は、導電ピンがユーザーのニーズに応じて回転可能な回転式プラグを提供することを目的とする。
【課題を解決するための手段】
【０００４】
上記技術課題を解決するために、本考案は回転式プラグを提供する。当該回転式プラグは、絶縁本体、複数の導電ピン、複数の導電変換端子及び絶縁回動体を備え、絶縁本体の内には複数本の電線を有し、導電ピンはそれぞれ対応する電線と電気的に接続され、各導電変換端子は固定部及びスイング部を備え、スイング部は回動可能に固定部に枢接され、固定部は絶縁本体に取り付けられ、且つ相応な電線と電気的に接続され、スイング部は絶縁回動体に取り付けられ、導電ピンは絶縁回動体に取り付けられ、且つ相応なスイング部と電気的に接続されている。
【０００５】
さらに、絶縁本体の一端には絶縁回動体が枢接する切り欠きを有し、絶縁回動体は枢接部及び枢接部と接続する接続部を備え、枢接部は絶縁本体の切り欠き内に取り付けられ、且つ切り欠き内で回動することができ、導電ピンは接続部に取り付けられている。
【０００６】
さらに、導電ピンは1つのベースに穿設され、接続部にはリング溝が設けられ、ベースの周縁はリング溝の内に位置し、且つリング溝に対して回動することができ、各導電ピンはそれぞれ導線を介して相応なスイング部と電気的に接続されている。
【０００７】
さらに、絶縁本体及び絶縁回動体の内にはそれぞれ複数の第一のスロット及び複数の第二のスロットを有し、導電変換端子の固定部は相応な第一のスロット内に係合され、導電変換端子のスイング部は相応な第二のスロット内に係合されている。
【０００８】
絶縁本体内には、導電変換端子に対応して複数の第一のスロットが設けられ、固定部は相応な第一のスロット内に係合され、その両端は第一のスロット外に伸び出し、その中で、一端は電線と電気的に接続され、他端は相応なスイング部に枢接されている。
【０００９】
さらに、各固定部は、第一の接続端及び第一の接続端を曲げてなす第一の枢接端を有し、第一の接続端は第一のスロット外に位置し、電線と電気的に接続され、第一の枢接端は第一のスロット内に係合され、その端部は第一のスロット外に伸び出し、スイング部に枢接されている。
【００１０】
さらに、各スイング部は、第二の接続端及び第二の接続端を曲げてなす第二の枢接端を有し、第二の接続端は導電ピンと電気的に接続され、第二の枢接端は第一の枢接端に枢接されている。
【００１１】
さらに、絶縁回動体の内には、導電変換端子に対応して複数の第二のスロットが設けられ、スイング部は相応な第二のスロット内に係合され、その両端は第二のスロット外に伸び出し、その中で、一端は相応な導電ピンと電気的に接続され、他端は相応な固定部に枢接されている。
【００１２】
さらに、各スイング部は、第二の接続端及び第二の接続端を曲げてなす第二の枢接端を有し、第二の接続端は第二のスロット内に係合され、その端部は第二のスロット外に伸び出し、導電ピンと電気的に接続され、第二の枢接端は第二のスロット外に位置し、固定部に枢接されている。
【００１３】
さらに、各固定部は、第一の接続端及び第一の接続端を曲げてなす第一の枢接端を備え、第一の接続端は電線と電気的に接続され、第一の枢接端はスイング部に枢接されている。
【考案の効果】
【００１４】
従来技術に比べて、上記の回転式プラグは導電変換端子を介して導電ピンと電線とを電気的に接続させ、導電接続端子の固定部及びスイング部は絶縁本体と絶縁回動体にそれぞれ取り付けられ、導電ピンは絶縁回動体に取り付けられ、このようにして、導電変換端子のスイング部が回動すると、絶縁回動体を一緒に回動させ、これによって導電ピンを一緒に回動させる。上記の回転式プラグの導電ピンは回転機能を具備し、ユーザーはニーズに応じて導電ピンを一定な範囲内で回転させて、プラグが電源ソケットに挿入する方向と角度を有効に調整することができ、そこで各種の使用条件と環境に対処することができ、柔軟で便利であり、スペースを節約することができる。
【図面の簡単な説明】
【００１５】
【図１】図1は、本考案における回転式プラグの好ましい実施例の斜視図である。
【図２】図２は、図1に示す実施例の分解図である。
【図３】図３は、図1に示す実施例において、1つの状態にある時の局部組立図である。
【図４】図４は、図1に示す実施例おいて、他の1つの状態にある時の局部組立図である。
【考案を実施するための形態】
【００１６】
以下に、本考案が解決しようとする技術課題、技術内容及び有益な効果を更に明確するために、図面と実施例を組み合わせて、本考案に対して更に詳しく説明する。理解されるべきであることは、ここで説明した具体的な実施例はただ本考案を解釈するのに用いられ、本考案を限定することではない。
【００１７】
図1乃至図4を参考すると、本考案の好ましい実施例を示し、当該回転式プラグは、絶縁本体1、複数の導電ピン2、複数の導電変換端子3及び絶縁回動体4を備える。絶縁本体1の内には複数本の電線5を有し、導電ピン2はそれぞれ対応する電線5と電気的に接続されている。各導電変換端子3は、固定部31及びスイング部32を備え、スイング部32は回動可能に固定部31に枢接されている。固定部31は絶縁本体1に取り付けられ、且つ相応な電線5と電気的に接続され、スイング部32は絶縁回動体4に取り付けられ、導電ピン2は絶縁回動体4に取り付けられ、且つ相応なスイング部32と電気的に接続されている。
【００１８】
具体的に、絶縁本体1は2つの対称なケーシングが対接してなし、2つのケーシングはネジを採用して固定接続され、更に超音波によって一体に溶接され、より良い締結性を具備する。絶縁本体1の一端には絶縁回動体4が枢接する切り欠き11を有し、絶縁本体1内には導電変換端子3に対応して複数の第一のスロット12が設置されている。本実施例において、三つの第一のスロット12a、12b、12cを有し、その中で、1つの第一のスロット12aは絶縁本体1の内部で一側に近づく場所に位置し、他の2つの第一のスロット12b、12cは絶縁本体1の内部で相対な他の側に近づく場所に平行に位置している。本実施例において、絶縁本体1内にはライブワイヤー、ヌルライン及びアース線この三本の電線5が設けられている。
【００１９】
導電ピン2は銅シートからなり、良好な導電性と安定性を具備する。本実施例において、ライブワイヤー、ヌルライン及びアース線とそれぞれ電気的に接続された三つの導電ピン2を有し、各導電ピン2は1つの絶縁ベース6に穿設されている。
【００２０】
絶縁回動体4も2つの対称なケーシングが対接してなし、2つのケーシングもネジを採用して固定接続され、更に超音波によって一体に溶接され、同様により良い締結性を具備する。絶縁回動体4は、枢接部41及び枢接部41と接続する接続部42を備え、枢接部41は絶縁本体1的切り欠き11内に取り付けられ、切り欠き11内で回動することができ、導電ピン2は接続部42に取り付けられている。接続部42にはリング溝421が設けられ、ベース6の周縁はリング溝421内に位置し、リング溝421に対して回動することができ、各導電ピン2はそれぞれ導線7を介して相応なスイング部32と電気的に接続されている。導線7は一定な巻き付け性を具備するため、導電ピン2はベース6の軸線を軸心としてベース6と共に一定な範囲内で回転することができる。
【００２１】
絶縁回動体4内には、複数の第二のスロット43を有し、本実施例においては、三つの第二のスロット43a、43b、43cを有し、何れも枢接部41に位置し、その中で、1つの第二のスロット43aは枢接部41の内部で一側に近づく場所に位置し、他の2つの第二のスロット43b、43cは枢接部41の内部で相対な他の側に近づく場所に平行に位置している。
【００２２】
導電変換端子3も銅シートからなり、同様に良好な導電性と安定性を具備する。導電変換端子3の固定部31は相応な第一のスロット12内に係合され、その両端は第一のスロット12外に伸び出し、その中で、一端は電線5と電気的に接続され、他端は相応なスイング部32に枢接されている。導電変換端子3のスイング部32は相応な第二のスロット42内に係合され、その両端は第二のスロット42外に伸び出し、その中で、一端は相応な導電ピン2と電気的に接続され、他端は相応な固定部31に枢接されている。
【００２３】
具体的に、各固定部31は、第一の接続端311及び第一の接続端311を曲げてなす第一の枢接端312を有する。第一の接続端311は第一のスロット12外に位置し、電線5と電気的に接続されている。第一の枢接端312は第一のスロット12内に係合され、その端部は第一のスロット12外に伸び出し、スイング部32と枢接されている。各スイング部32は、第二の接続端321及び第二の接続端321を曲げてなす第二の枢接端322を有する。第二の接続端321は第二のスロット42内に係合され、その端部は第二のスロット42外に伸び出し、導電ピン2と電気的に接続されている。第二の枢接端322は第二のスロット42外に位置し、第一の枢接端312と枢接されている。
【００２４】
上記の回転式プラグは導電変換端子3を介して導電ピン2と電線5とを電気的に接続させ、導電接続端子3の固定部31及びスイング部32は絶縁本体1と絶縁回動体4にそれぞれ取り付けられ、導電ピン2は絶縁回動体4に取り付けられ、このようにして、導電変換端子3のスイング部32が回動すると、絶縁回動体4を一緒に回動させ、これによって導電ピン2を一緒に回動させる。図3に示す状態では、導電ピン2と電線5は直線状を呈して配列され、図4に示す状態では、導電ピン2が90度回転して、電線5と90度を呈して配列されている。
【００２５】
上記の回転式プラグの導電ピン2は回転機能を具備し、ユーザーはニーズに応じて導電ピン2を一定な範囲内で回転（本実施例において、導電ピン2は左右に各90度、合計180度回転することができる）させて、プラグが電源ソケットに挿入する方向と角度を有効に調整することができ、そこで各種の使用条件と環境に対処することができ、柔軟で便利であり、スペースを節約することができる。
【００２６】
以上の内容はただ本考案の好ましい実施例であり、本考案を制限することではなく、本考案の思想と原則内で行ういかなる補正、等価切替及び改進等は、みな本考案の特許請求の範囲内に属する。
【図１】
0003171240.tif 000003
【図２】
0003171240.tif 000004
【図３】
0003171240.tif 000005
【図４】
0003171240.tif 000006